(57)【要約】【課題】  配線の敷設が容易になる水道連結型スプリンクラ消火設備を提供する。【解決手段】  本発明は、火災信号を出力する火災感知器と、火災信号に基づいて電動弁を開弁させる開弁信号を出力する制御盤とを備え、電動弁が開弁すると、該電動弁の一次側に設けられた一次側配管から、二次側に設けられ、スプリンクラヘッドが接続される二次側配管に消火水が流入するスプリンクラ消火設備に関する。本発明のスプリンクラ消火設備は、火災感知器は、制御盤に火災信号を移報出力する移報回路を有し、制御盤は、火災感知器と信号線で接続し、火災信号が入力されると、開弁信号を電動弁に直接出力して、電動弁を開弁することを特徴としている。【選択図】図２
2014097152.tif 000002
【特許請求の範囲】
【請求項１】
火災信号を出力する火災感知器と、前記火災信号に基づいて電動弁を開弁させる開弁信号を出力する制御盤とを備え、前記電動弁が開弁すると、該電動弁の一次側に設けられた一次側配管から、二次側に設けられ、スプリンクラヘッドが接続される二次側配管に消火水が流入するスプリンクラ消火設備において、
前記火災感知器は、前記制御盤に前記火災信号を移報出力する移報回路を有し、
前記制御盤は、前記火災感知器と信号線で接続し、前記火災信号が入力されると、前記開弁信号を前記電動弁に直接出力して、前記電動弁を開弁することを特徴とするスプリンクラ消火設備。
【請求項２】
前記火災感知器は、火災受信機と信号線で接続され、前記火災信号を前記制御盤と共に、火災受信機に出力することを特徴とする請求項１記載のスプリンクラ消火設備。
【発明の詳細な説明】
【技術分野】
【０００１】
本発明は、スプリンクラ消火設備に関し、特に水道連結型スプリンクラ消火設備に関する。
【背景技術】
【０００２】
建物には、その用途や大きさによって火災報知設備や消火設備といった防災設備の設置が消防法で義務づけられている。近年、グループホームの施設などでの火災の頻度が増えたことから、消防法が改正され、グループホームなどを対象とする施設に関し、従前は、延べ面積１０００平方メートル以上の施設にのみ設置が義務付けられていたスプリンクラ消火設備を、延べ面積２７５平方メートル以上の対象施設についても設置が義務化されるようになった。延べ面積１０００平方メートル未満ということは、比較的、規模の小さい建物であることから、この大きさの施設では水道を利用した「特定施設水道連結型スプリンクラ設備」を設置することができるようになっている。
【０００３】
水道連結型スプリンクラ消火設備は、給水源として水道を利用し、水道管から分岐したスプリンクラ配管にスプリンクラヘッドを設けているスプリンクラ消火設備であり、防火水槽や加圧送水装置といった高価な設備を要せず、設備予算が限られた戸建住宅や小規模社会福祉施設に設置できる簡易なスプリンクラ消火設備である。
【０００４】
このような、水道水を使用した水道連結型スプリンクラ消火設備の例としては、例えば特許文献１に開示された乾式のスプリンクラ消火設備がある。
【０００５】
従来の特定施設水道連結型スプリンクラ消火設備（以下、「スプリンクラ消火設備」とする。）について、図３に基づいて、以下に説明する。
【０００６】
従来のスプリンクラ消火設備２００は、各部屋Ａ、Ｂ、Ｃ、Ｄに火災感知器３０、スプリンクラヘッド１６、制御盤３、及び電動弁１０をそれぞれ設け、部屋Ａ、Ｂ、Ｃ、Ｄの室外、例えば特定施設の事務室に火災受信機２を１台設けている。そして、火災感知器３０と火災受信機２とを信号線５ａで接続し、火災受信機２と制御盤３とを制御線７ｂで接続し、制御盤３と電動弁１０とを制御線７ａで接続している。
【０００７】
このようなスプリンクラ消火設備２００は、火災を感知した火災感知器３０から火災信号が火災受信機２に出力され、火災受信機２から制御盤３に電動弁１０の開弁を指示する開弁指示信号が出力され、制御盤３から電動弁１０を開弁する開弁信号を出力している。
【０００８】
すなわち、各部屋Ａ、Ｂ、Ｃ、Ｄの火災感知器３０が火災を検知したら、各部屋Ａ、Ｂ、Ｃ、Ｄの制御盤３がそれぞれ電動弁１０を開弁することになるが、そのために各部屋Ａ、Ｂ、Ｃ、Ｄの火災感知器３０と事務室に設けられている火災受信機２との間を配線（信号線５ａ）で接続し、さらに事務室の火災受信機２と各部屋Ａ、Ｂ、Ｃ、Ｄの制御盤３との間を配線（制御線７ｂ）で接続していた。
【先行技術文献】
【特許文献】
【０００９】
【特許文献１】特開２０１２−０８１１４４号公報
【発明の概要】
【発明が解決しようとする課題】
【００１０】
しかしながら、各部屋Ａ、Ｂ、Ｃ、Ｄ内の火災感知器３０の火災信号に基づいて同室内の制御盤３を動作させるにも関わらず、各部屋Ａ、Ｂ、Ｃ、Ｄと事務室との間を配線（信号線５ａ及び制御線７ｂ）で一往復しなければならず、配線系統の敷設の距離が長く、複雑になっていた。
【００１１】
本発明は、このような従来の問題に鑑みてなされたもので、各部屋の火災感知器３０の火災信号によって、同室内の制御盤３を直接動作させることで、配線系統の敷設が簡易なものとなるスプリンクラ消火設備を提供することを目的とする。
【課題を解決するための手段】
【００１２】
本発明は、火災信号を出力する火災感知器と、火災信号に基づいて電動弁を開弁させる開弁信号を出力する制御盤とを備え、電動弁が開弁すると、該電動弁の一次側に設けられた一次側配管から、二次側に設けられ、スプリンクラヘッドが接続される二次側配管に消火水が流入するスプリンクラ消火設備において、火災感知器は、制御盤に火災信号を移報出力する移報回路を有し、制御盤は、火災感知器と信号線で接続し、火災信号が入力されると、開弁信号を電動弁に直接出力して、電動弁を開弁することを特徴とするものである。
【発明の効果】
【００１３】
本発明は、制御盤に火災信号を移報可能な火災感知器と、火災感知器と同室内に設けられる制御盤とを信号線で直接接続したので、火災感知器の火災信号を火災受信機で受信して、火災受信機が制御盤を制御していた場合と比べて、配線の敷設が簡易になる。
【図面の簡単な説明】
【００１４】
【図１】本発明の実施の形態に係るスプリンクラ消火設備の構成図である。
【図２】本発明の実施の形態に係るスプリンクラ消火設備の一部分を示したものである。
【図３】従来のスプリンクラ消火設備の構成図である。
【発明を実施するための形態】
【００１５】
本発明の実施の形態１に係る消火設備１００について、図１及び図２に基づいて以下に説明する。
【００１６】
［スプリンクラ消火設備１００の構成］
スプリンクラ消火設備１００は、特定施設向けの乾式スプリンクラ消火設備である。スプリンクラ消火設備１００は、水道管（後述する一次側配管２１）と連結しており、スプリンクラヘッド１６へ消火水として水道水を供給するものである。また、スプリンクラ消火設備１００はグループホーム等の特定施設に設けられており、部屋Ａ、Ｂ、Ｃ、Ｄはそれぞれ火災感知器１、スプリンクラヘッド１６、制御盤３及び電動弁１６を備えている。なお、部屋Ａ〜Ｄは同様の構成となっているので、以下、部屋Ａを中心に説明する。
【００１７】
スプリンクラ消火設備１００は電動弁１０の一次側に一次側配管２１（水道管）を介して、水道本管１２と電動弁１０が接続される。一次側配管２１の途中には生活用配管１４が分岐して設けられており、その先には図示しない蛇口等が設けられる。生活用配管１４への分岐と電動弁１０との間の一次側配管には逆止弁１８が設けられており、後述する二次側配管２２内の消火水が、一次側配管２１に流入して、生活用配管１４内を流れる水道水（生活用水）と混合することを防止している。
【００１８】
電動弁１０は各部屋Ａ、Ｂ、Ｃ、Ｄにそれぞれ１台ずつ設けられており、電動弁１０の二次側には、スプリンクラヘッド１６が設けられる二次側配管２２（スプリンクラ配管）が接続される。また、電動弁１０は、通常時は閉じており、二次側配管２２は消火水が充水されていない。
【００１９】
火災感知器１は、スプリンクラヘッド１６、制御盤３及び電動弁１０等と同室（部屋Ａ）内に設けられる。火災感知器１は、火災受信機２と信号線５ａで接続され、火災を検出した場合は、火災信号を火災受信機２に出力する。また、火災感知器１は、制御盤３と信号線５ｂで接続されている。火災感知器１は火災信号を制御盤３に移報出力する移報回路を有しており、火災感知器１が火災を感知すると、火災信号を制御盤３に移報出力する。
【００２０】
制御盤３は、各部屋Ａ、Ｂ、Ｃ、Ｄにそれぞれ１台ずつ設けられている。電動弁１０と制御線７ａで接続しており、火災感知器１から火災信号を受信すると、電動弁１０を開弁させる開弁信号を出力する。
【００２１】
火災受信機２は、部屋Ａ、Ｂ、Ｃ、Ｄの室外、例えば、特定施設の事務室に１台だけ設けられている。火災受信機２は、火災感知器１から火災信号を受信すると、火災である旨の警報を行う。
【００２２】
以上のように、スプリンクラ消火設備１００は、火災感知器１が信号線５ａを介して火災受信機２と接続され、それと共に信号線５ｂを介して制御盤３と接続されている。つまり、火災感知器１と火災受信機２が信号線５ａで接続され、火災受信機２と制御盤３が制御線７ｂで接続される従来のスプリンクラ消火設備２００（図３参照）と比べて、同じ部屋Ａに設けられる火災感知器１と制御盤３とを直接接続している。これにより、事務室の火災受信機２から部屋Ａの制御盤３まで長い距離の配線の敷設をすることなく、同室（部屋Ａ）内の火災感知器１と制御盤３を接続すれば足りるため、配線を敷設する長さを短くすることができる。
【００２３】
［動作説明］
上記のような構成を持つスプリンクラ消火設備１００の火災時の動作について、図１及び２に基づいて説明する。なお、以下は部屋Ａにおいて火災が起きる場合について説明するが、他の部屋でも同様の動作をする。
【００２４】
先ず、部屋Ａにおいて火災が起きると、部屋Ａに設置されている火災感知器１が火災を感知する。そして、火災感知器１は、信号線５ａを介して部屋Ａの室外（例えば、事務室）に設けられる火災受信機２に火災信号を出力すると共に、信号線５ｂを介して部屋Ａに設けられている制御盤３にも火災信号を移報出力する。
【００２５】
次に、制御盤３は、火災信号が入力されると、制御線７ａを介して部屋Ａに設けられている電動弁１０に開弁信号を出力する。開弁信号が入力された電動弁１０は、電動弁を開弁する。なお、火災信号を受信した火災受信機２は、火災が発生した旨を盤面に表示して、火災の警報を行う。すなわち、スプリンクラ消火設備１００は、火災感知器１による火災信号に基づいて制御盤３が電動弁１０を開弁するべく動作するが、従来のように火災感知器１の火災信号を、一度火災受信機２が受信して、火災受信機２が開弁指示信号を出力してから制御盤３が開弁信号を出力するが動作するのではなく、火災感知器１からの火災信号を直接受信して、制御盤３が開弁信号を出力する。
【００２６】
次に、電動弁１０が開弁すると、水道本管１２から電動弁１０と通過し、二次側配管２２まで消火水（水道水）が給水され、二次側配管２２内が消火水で加圧充水（例えば、０．１ＭＰａ）される。
【００２７】
最後に、火災によってスプリンクラヘッド１６が作動すると、二次側配管２２内に充水された消火水を散水する。その後も、水道本管１２からの給水が続く限り、スプリンクラヘッド１６は散水をし続ける。これにより、火災の消火、及び延焼防止が行われることになる。
【００２８】
［スプリンクラ消火設備１００の有する効果］
火災感知器１から移報出力する火災信号を、火災感知器１と同室に設けられる制御盤３が直接受信するため、火災感知器１の火災信号を室外の火災受信機２を介して制御盤３が受信する従来の場合に比べて、配線の敷設が容易になる。そして、火災受信機２に接続する配線数も信号線５ａ、制御線７ｂが必要だった従来に比べて、信号線５ａのみで足りる。つまり、長い距離の配線の敷設が必要であった火災受信機２と火災感知器１の間の配線数を半減させることができるので、スプリンクラ消火設備１００の施工が容易になる。
【符号の説明】
【００２９】
１  火災感知器、２  火災受信機、３  制御盤、５ａ、５ｂ  信号線、７ａ、７ｂ制御線、１０  電動弁、１２  水道本管、１４  生活用配管、１６  スプリンクラヘッド、１８  逆止弁、２１  一次側配管、２２  二次側配管、１００  スプリンクラ消火設備、Ａ、Ｂ、Ｃ、Ｄ  部屋。
【図１】
2014097152.tif 000003
【図２】
2014097152.tif 000004
【図３】
2014097152.tif 000005